(57)【要約】【課題】光制御パネルの製造に使用される接着剤を減らして、光制御パネルの製造コストを低下させる。【解決手段】内部において厚さ方向に垂直な方向に一定のピッチで多数の帯状反射面が形成された光制御パネル１０の製造方法は、多数の細長い平板状のガラス片１５を直接重ね合わせることにより、形状が平板状であって厚さ方向に垂直な方向に多数のガラス片１５が並べられたガラス積層体１１を作製する積層工程と、ガラス積層体１１における多数のガラス片１５を一体化する一体化工程とを備えている。【選択図】図３
2017053922.tif 000002
【特許請求の範囲】
【請求項１】
内部において厚さ方向に垂直な方向に一定のピッチで多数の帯状反射面が形成された光制御パネルの製造方法であって、
多数の細長い平板状のガラス片を直接重ね合わせることにより、形状が平板状であって厚さ方向に垂直な方向に前記多数のガラス片が並べられたガラス積層体を作製する積層工程と、
前記ガラス積層体における多数のガラス片を一体化する一体化工程とを備えている、光制御パネルの製造方法。
【請求項２】
前記一体化工程は、
前記ガラス積層体の片面又は透明なカバープレートの片面の少なくとも一方に透明な接着剤を塗布する工程と、
前記ガラス積層体と前記カバープレートとの間に前記接着剤を挟むように、前記ガラス積層体の片面に前記カバープレートを重ねる工程と、
前記ガラス積層体と前記カバープレートとの間の前記接着剤を硬化させて接着層を形成する工程とを備えている、請求項１に記載の光制御パネルの製造方法。
【請求項３】
透明板ガラスを切断して、前記積層工程に用いる複数のガラス片に分断する切断工程をさらに備え、
各ガラス片の長辺側の側面に対し研磨を行わない、請求項２に記載の光制御パネルの製造方法。
【請求項４】
内部において厚さ方向に垂直な方向に一定のピッチで多数の帯状反射面が形成された光制御パネルであって、
形状が平板状であって、厚さ方向に垂直な方向に直接重ね合わされた多数の細長い平板状のガラス片により構成されたガラス積層体と、
前記ガラス積層体における多数のガラス片を一体化する固定部とを備え、
前記ガラス片の各々は、その厚さ方向に対向する主面の一方が前記帯状反射面として機能する、光制御パネル。
【請求項５】
前記固定部は、
前記ガラス積層体の片面に接し、硬化した透明な接着剤により構成された接着層と、
前記ガラス積層体の片面を覆うように、前記接着層における前記ガラス積層体の反対側に接着された透明なカバープレートとを有する、請求項４に記載の光制御パネル。
【請求項６】
前記ガラス積層体の各ガラス片の側面には、切断された痕跡として凹凸が残っている、請求項５に記載の光制御パネル。
【請求項７】
請求項４乃至６の何れか１つに記載の光制御パネルを２つ備え、
前記２つの光制御パネルは、互いの前記帯状反射面が略直交し、且つ、互いのガラス積層体が向き合うように、第２接着層を介して貼り合わされている、光学結像装置。
【請求項８】
請求項７に記載の光学結像装置と、
前記光学結像装置の背面側に配置され、電子データに基づいて表示器内に映像を表示する再生装置とを備え、
前記光学結像装置の前面側の自由空間に、前記表示器内の映像を結像させて空中映像を形成する、空中映像形成システム。
【発明の詳細な説明】
【技術分野】
【０００１】
本発明は、空中に映像を結像させる光学結像装置に用いる光制御パネルの製造方法等に関する。
【背景技術】
【０００２】
従来から、空中に映像を結像させるための光学要素として、内部において厚さ方向に垂直な方向に一定のピッチで多数の帯状反射面が形成された光制御パネルが知られている。この光制御パネルを２枚用い、互いの帯状反射面が略直交するように２枚の光制御パネルを重ねることで、空中に映像を結像させる光学結像装置を構成することができる。
【０００３】
例えば特許文献１に、光制御パネルの製造方法が記載されている。この製造方法では、透明シート（ガラス、透明なプラスチック等）とミラーシート（ＵＶ硬化型の接着剤が塗布されたミラーシート）とを交互に重ねてブロック体を形成した後に、ブロック体を透明シートに交差する面で一定厚みに切り出して光制御パネルを形成している。透明シートとミラーシートは、ＵＶ硬化型の接着剤により互いに接合されている。
【先行技術文献】
【特許文献】
【０００４】
【特許文献１】国際公開第２０１４／０７３６５０号
【発明の概要】
【発明が解決しようとする課題】
【０００５】
ところで、従来の光制御パネルでは、重ね合わされた多数のガラス片において、隣り合うガラス片の間に接着層（ＵＶ硬化型の接着剤による接着層）が設けられている。光制御パネルには、多数の接着層が設けられている。そのため、光制御パネルの製造に多くの接着剤が必要となり、低コストで光制御パネルを製造することが困難であった。
【０００６】
本発明は、このような事情に鑑みてなされたものであり、光制御パネルの製造に使用される接着剤を減らして、光制御パネルの製造コストを低下させることを目的とする。
【課題を解決するための手段】
【０００７】
上述の課題を解決するべく、本発明に係る光制御パネルの製造方法は、内部において厚さ方向に垂直な方向に一定のピッチで多数の帯状反射面が形成された光制御パネルの製造方法であって、多数の細長い平板状のガラス片を直接重ね合わせることにより、形状が平板状であって厚さ方向に垂直な方向に多数のガラス片が並べられたガラス積層体を作製する積層工程と、ガラス積層体における多数のガラス片を一体化する一体化工程とを備えている。
【０００８】
この製造方法の一体化工程は、ガラス積層体の片面又は透明なカバープレートの片面の少なくとも一方に透明な接着剤を塗布する工程と、ガラス積層体とカバープレートとの間に接着剤を挟むように、ガラス積層体の片面にカバープレートを重ねる工程と、ガラス積層体とカバープレートとの間の接着剤を硬化させて接着層を形成する工程とを備えていてもよい。
【０００９】
また、この製造方法は、透明板ガラスを切断して、積層工程に用いる複数のガラス片に分断する切断工程をさらに備え、各ガラス片の長辺側の側面に対し研磨を行わないようにしてもよい。この場合、ガラス積層体の各ガラス片の側面に、切断された痕跡として凹凸が残る。
【００１０】
また、本発明に係る光制御パネルは、内部において厚さ方向に垂直な方向に一定のピッチで多数の帯状反射面が形成された光制御パネルであって、形状が平板状であって、厚さ方向に垂直な方向に直接重ね合わされた多数のガラス片により構成されたガラス積層体と、ガラス積層体における多数のガラス片を一体化する固定部とを備え、ガラス片の各々は、その厚さ方向に対向する主面の一方が帯状反射面として機能する。
【００１１】
また、この光制御パネルの固定部は、ガラス積層体の片面に接し、硬化した透明な接着剤により構成された接着層と、ガラス積層体の片面を覆うように接着層におけるガラス積層体の反対側に接着された透明なカバープレートとを有していてもよい。
【００１２】
また、本発明に係る光学結像装置は、上述の光制御パネルを２つ備え、２つの光制御パネルは、互いの帯状反射面が略直交し、且つ、互いのガラス積層体が向き合うように、第２接着層を介して貼り合わされている。
【００１３】
また、本発明に係る空中映像形成システムは、上述の光学結像装置と、光学結像装置の背面側に配置され、電子データに基づいて表示器内に映像を表示する再生装置とを備え、光学結像装置の前面側の自由空間（空中）に、表示器内の映像を結像させて空中映像を形成する。
【発明の効果】
【００１４】
本発明では、多数の細長い平板状のガラス片を直接重ねあわせて平板状のガラス積層体を作製している。従来のように多数の透明シートの積層体（透明シート間にミラーシートが介在したブロック体）を一定の厚みで切り出すことは行わず、重ね合わせた多数のガラス片が、光制御パネルの一要素であるガラス積層体となる。そして、従来とは異なり、積層工程において、多数のガラス片を直接重ね合わせている。積層工程において、隣り合うガラス片の間に接着剤を設けない。従って、従来は多量の接着剤を用いていた隣り合うガラス片１５の間で接着剤を減らすことができるため、光制御パネルの製造コストを低下させることができる。
【００１５】
なお、ガラス片としては、両面に金属反射膜（ミラー）を有しない透明なガラス片を用いることができる。ここで、多数のガラス片を直接重ね合わせた場合、隣り合うガラス片の間に微小隙間ができる。そのため、ガラス積層体では、ガラス片の側面から斜めに入射した光が、ガラス片と微小隙間の空気との屈折率の違いにより、ガラス片の主面（厚さ方向に対向する面）で全反射する。ガラス片の両面に金属反射膜を設けなくても、空中映像を形成するための光が適切に反射され、光制御パネルは適切に機能する。この場合、従来使用されていた多数の金属反射層（ミラーシート）が必要ないため、光制御パネルの製造コストをさらに低下させることができる。
【００１６】
また、本発明では、従来のように複数の光制御パネルが切り出されるブロック体を作製せずに、多数のガラス片から、１枚の光制御パネルに用いるガラス積層体を作製している。ガラス積層体は、ブロック体に比べて軽い。そのため、従来はブロック体の重量の制約から光制御パネルを大型化することが困難であったが、本発明では重量の制約が緩和されるため、光制御パネルを大型化することができる。
【００１７】
また、ガラス積層体の多数のガラス片は、接着層によって１枚のカバープレートに固定することで一体化することができる。この場合、各ガラス片の側面とカバープレートとに接着層が密着する。そのため、各ガラス片の側面（切断面）に対し研磨を行わなくても、ガラス積層体における各ガラス片の側面部分を透明化することができる。従って、各ガラス片の側面の研磨を省略できるため、光制御パネルの製造コストをさらに低下させることができる。
【図面の簡単な説明】
【００１８】
【図１】実施の形態に係る光学結像装置の側面図
【図２】実施の形態に係る光学結像装置を用いた空中映像の形成について説明するための図
【図３】光制御パネルの製造方法を説明するための図
【図４】光制御パネル及び光学結像装置の製造方法を説明するための図
【図５】変形例に係る光制御パネルの製造方法を説明するための図
【発明を実施するための形態】
【００１９】
以下、図１−図４を参照しながら、実施の形態について詳細に説明する。
【００２０】
［１．光制御パネルについて］
光制御パネル１０は、その内部において厚さ方向に垂直な方向に一定のピッチで多数の帯状反射面が形成された光学要素である。光制御パネル１０は、図１に示すように、ガラス積層体１１、接着層１２（第１接着層）、及び、カバープレート１３を備えている。ガラス積層体１１は、多数のガラス片１５が横方向に積層されたものである。ガラス積層体１１には、接着層１２及びカバープレート１３がこの順番で積層されている。接着層１２及びカバープレート１３は、ガラス積層体１１における多数のガラス片１５を一体化する固定部に相当する。
【００２１】
ガラス積層体１１は、細長い矩形平板状のガラス片１５（ガラス棒）が多数（例えば、１００以上）重ね合わされたものである。多数のガラス片１５は、同一寸法（同じ形状で同じ大きさ）であり、互いにずれることなく重ね合わされている。ガラス積層体１１の形状は、矩形平板状（扁平な直方体）である（図３（ｄ）参照）。ガラス積層体１１では、その厚み方向に対して垂直な方向に、多数のガラス片１５が直接重ね合わされている。隣り合うガラス片１５は、接着剤等の他の部材を介することなく直接対面している。ガラス積層体１１の一対の主面（厚さ方向に対向する表裏面）は、多数のガラス片１５の側面（長辺側の側面）が面一に並ぶことで、概ね平坦面に形成されている。
【００２２】
例えば、ガラス片１５の寸法は、短辺（幅）１．５ｍｍ、長辺（長さ）３００ｍｍ、厚さ０．５ｍｍである。ガラス積層体１１では、例えば６００枚のガラス片１５が重ね合わされている。ガラス積層体１１は、平面視が約３００ｍｍ×約３００ｍｍの正方形で、厚みが１．５ｍｍの直方体である。なお、ガラス片１５及びガラス積層体１１の各々の寸法は、本段落に記載した寸法に限定されない。
【００２３】
接着層１２は、ガラス積層体１１の一方の主面上に接する、薄くて透明な層である。接着層１２は、ガラス積層体１１の一方の主面に塗布されて硬化した接着剤により構成されている。接着層１２は、ガラス積層体１１の各ガラス片１５をカバープレート１３に固定している。接着層１２は、ガラス積層体１１の一方の主面を略全面に亘って被覆している。
【００２４】
カバープレート１３は、矩形平板状の薄くて透明なガラスである。例えば、カバープレート１３の厚さは、ガラス片１５の厚さと同程度であり、ガラス積層体１１に比べて薄い。平面視において、カバープレート１３は、例えば、ガラス積層体１１の主面と略同じ大きさであり、該主面の全面を覆うように接着層１２におけるガラス積層体１１の反対側に接着されている。カバープレート１３とガラス積層体１１の主面とは、互いに近接する辺同士が略平行になっている。
【００２５】
ここで、ガラス積層体１１の主面（表裏面）を構成する各ガラス片１５の側面は、後述する切断工程で切断された切断面であり、研磨されていない。各ガラス片１５の側面には、切断された痕跡として凹凸が残っている。しかし、接着層１２が各ガラス片１５の側面とカバープレート１３とに密着することで、ガラス積層体１１における各ガラス片１５の側面部分を透明化することができる。本実施の形態によれば、各ガラス片１５の一方の側面の研磨を省略できる。
【００２６】
また、多数のガラス片１５を直接重ね合わせた場合、隣り合うガラス片１５の間に微小隙間ができる。そのため、ガラス積層体１１では、ガラス片１５の側面から斜めに入射した光が、ガラス片１５と微小隙間の空気との屈折率の違いにより、ガラス片１５の主面（厚さ方向に対向する面）で全反射する。つまり、光制御パネル１０では、ガラス積層体１１の主面から斜めに入射した光が、帯状反射面として機能する各ガラス片１５の主面で全反射する。
【００２７】
［２．光学結像装置及び空中映像形成システムについて］
光学結像装置２０は、図１に示すように、２枚の光制御パネル１０を備えている。なお、以下において、光学結像装置２０に関する説明では、２枚の光制御パネル１０を区別するために、光制御パネル１０及びその構成部品の参照符号として、数字に「ａ」又は「ｂ」を付けた参照符号を用いる。
【００２８】
光学結像装置２０では、２枚の光制御パネル１０ａ，１０ｂが、互いの帯状反射面が略直交し、且つ、互いのガラス積層体１１ａ，１１ｂが向き合うように、ガラス積層体１１ａ，１１ｂ同士が接着層１６（第２接着層）により貼り合わされている。各光制御パネル１０ａ，１０ｂでは、ガラス積層体１１ａ，１１ｂの各ガラス片１５ａ，１５ｂの側面に、接着層１６が密着している。そのため、未研磨の側面部分を透明化することができる。本実施の形態によれば、各ガラス片１５の他方の側面の研磨も省略できる。なお、平面視において、光制御パネル１０ａの帯状反射面と光制御パネル１０ｂの帯状反射面とのなす角度は、例えば９０°±２°であればよい。
【００２９】
続いて、空中映像形成システム２５について説明する。空中映像形成システム２５は、図２に示すように、光学結像装置２０、及び、光学結像装置２０の背面側に配置された再生装置２６を備えている。再生装置２６は、電子データに基づいて空中映像用の映像を表示する表示器２７を備えている。表示器２７は、静止画又は動画の映像を表示可能である。図２では、表示器２７は、光学結像装置２０の下方に位置し、光学結像装置２０側を向いている。
【００３０】
表示器２７の点Ｘからの各光線Ａ，Ｂは、光制御パネル１０ａの帯状反射面の点Ｐと、光制御パネル１０ｂの帯状反射面の点Ｑとで順次正反射をする。そして、点Ｑで正反射をした各光線Ａ，Ｂは、光学結像装置２０の上方の点Ｘ’に集まる。また、表示器２７の点Ｙからの各光線Ｃ，Ｄは、光制御パネル１０ａの帯状反射面の点Ｒと、光制御パネル１０ｂの帯状反射面の点Ｓとで順次正反射をする。そして、点Ｓで正反射をした各光線Ｃ，Ｄは、光学結像装置２０の上方の点Ｙ’に集まる。そのため、光学結像装置２０の前面側の自由空間に、表示器２７内の映像を結像させて空中映像を形成することができる。
【００３１】
なお、「空中映像」は、「浮遊映像」と言うこともできる。空中映像形成システム２５は、表示器２７内の映像に応じて、二次元の空中映像を形成したり、三次元の空中映像（立体像）を形成したりすることができる。二次元の空中映像としては、例えば空中タッチパネルを形成できる。三次元の空中映像としては、例えばキャラクタを形成できる。
【００３２】
［３．光制御パネルの製造方法について］
光制御パネル１０の製造方法は、切断工程、洗浄工程、積層工程、及び、一体化工程を備えている。図３及び図４を用いて、光制御パネル１０の製造方法について説明する。なお、図３は、（ａ）〜（ｄ）の全てが斜視図である。図４は、（ａ）及び（ｃ）が斜視図であり、（ｂ）が側面図である。
【００３３】
切断工程では、まず、材料板として、矩形平板状の透明板ガラス３０（例えば、青板ガラス基板）が平坦な設置面に設置される。透明板ガラス３０の上側には、カッター４０（例えば、レーザーカッター）が存在している。カッター４０としては、高速（例えば、直線部１ｍ／秒）で透明板ガラス３０をフルカットできるものを使用する。以下では、図３（ａ）に示すように、透明板ガラス３０における２組の対辺のうち一方に平行な方向を「第１方向」といい、他方に平行な方向を「第２方向」という。
【００３４】
切断工程では、透明板ガラス３０が設置面上に固定された状態で、図３（ａ）に示すように、カッター４０を第１方向に移動させながら、カッター４０によって透明板ガラス３０を端から端まで切断する。続いて、所定の設定距離（ガラス片１５の幅に相当する距離）だけ第２方向にカッター４０の位置をシフトさせ、第１方向に透明板ガラス３０を端から端まで切断し、再び、設定距離だけ第２方向にカッター４０の位置をシフトさせる。カッター４０は、「第１方向の切断」と「第２方向のシフト」を交互に繰り返す。カッター４０は、往復動をしながら、徐々に第２方向に移動してゆく。カッター４０による透明板ガラス３０の切断は、第２方向に一定のピッチで行われることになる。その結果、図３（ｂ）に示すように、透明板ガラス３０が、同一幅の複数のガラス片１５に分断される。１枚の光制御パネル１０の製造には、複数の透明板ガラス３０が用いられる。
【００３５】
なお、第１方向の切断後に、カッター４０の代わりに、第２方向（図３（ａ）における左方向）に設定距離だけ透明板ガラス３０を移動させてもよい。この移動後に、第１方向の切断を行う。また、第２方向に一定のピッチで並べた複数のカッター４０を用いてもよい。この場合、複数のカッター４０を一体で移動させながら、一度に複数箇所の切断を行うことができる。
【００３６】
続いて、切断により発生したガラス粉末を洗い流す洗浄工程が行われる。洗浄工程では、切断工程で得られた各ガラス片１５の表面を洗浄液で洗い流し、各ガラス片１５に付着するガラス粉末を除去する。洗浄後に各ガラス片１５は、熱乾燥させる。
【００３７】
続いて、多数の細長い平板状のガラス片１５を直接重ね合わせることにより、ガラス積層体１１を作製する積層工程が行われる。積層工程では、図３（ｃ）に示すように、元の透明板ガラス３０の表裏面が積層面となり、且つ、各ガラス片１５の側面（切断面）が上下面となるように、ガラス片１５が立てられる。そして、ガラス片１５の長手方向の端を揃えて、ガラス片１５を重ね合わせてゆくことで、矩形平板状のガラス積層体１１（図３（ｄ）参照）が作製される。最後のガラス片１５は、ガラス積層体１１の内側に押し付ける。
【００３８】
例えば、互いに直交する２つの壁面４１ａ，４１ｂを少なくとも有する型部材４１を用いることができる。この場合、壁面４１ａに向かって、１枚ずつガラス片１５を壁面４１ｂに端面を接触させながら移動させて、１枚ずつガラス片１５を重ね合わせてゆく。最後のガラス片１５は、押し付け治具で壁面４１ａ側に押し付けられる。
【００３９】
ここで、多数のガラス片１５を立てる方法としては、小さなギザギザのある仮置き場所を用いることができる。この場合、多数のガラス片１５が重なり合うように仮置き場所に置き、斜めになった状態の多数のガラス片１５を横方向に押して立てる。
【００４０】
また、ロボットアームを用いることができる。この場合、ロボットアームは、設置面上のガラス片１５を吸着して持ち上げる。そして、持ち上げたガラス片１５を９０°回転させて、ガラス片１５を平坦面上に立てる。
【００４１】
続いて、ガラス積層体１１における多数のガラス片１５を一体化する一体化工程が行われる。一体化工程では、まず、平坦面に設置されたガラス積層体１１の上面の略全面に、紫外線硬化型透明接着剤（以下、「ＵＶ接着剤」という。）を塗布する工程が行われる。次に、塗布されたＵＶ接着剤をガラス積層体１１と透明なカバープレート１３との間に挟むように、ガラス積層体１１の上面にカバープレート１３を重ねる工程が行われる（図４（ａ）参照）。カバープレート１３は、ガラス積層体１１の上面の全面を覆うように重ねられ、ガラス積層体１１に軽く押し付けられる。なお、ＵＶ接着剤は、カバープレート１３の下面に塗布してもよい。
【００４２】
そして、ガラス積層体１１とカバープレート１３との間の接着剤を硬化させて接着層１２を形成する工程が行われる。この工程では、図４（ｂ）に示すように、カバープレート１３の上方の照射装置４２から、カバープレート１３に向けて紫外線が照射される。紫外線は、カバープレート１３を透過しＵＶ接着剤に到達する。これにより、ＵＶ接着剤が硬化して接着層１２が形成される。各ガラス片１５はカバープレート１３に固定され、多数のガラス片１５は一体化される。なお、接着層１２の形成には、ＵＶ接着剤以外の接着剤（例えば、熱硬化型接着剤）を用いてもよい。
【００４３】
以上の工程により、光制御パネル１０が完成する。なお、光制御パネル１０の製造の過程で、各ガラス片１５の側面に対し研磨は行わない。
【００４４】
なお、ガラス積層体１１の主面に塗布する接着剤の流動性によっては、隣り合うガラス片１５の微小隙間に、硬化前の接着剤が流入することがあり得る。そのため、微小隙間に接着剤が流入しないように、ゲル状の接着剤、又は、粘性が高い接着剤（樹脂の分子量が大きい接着剤）を用いてもよい。接着剤の流入を阻止できた場合、ガラス積層体１１では、隣り合うガラス片１５の全面が直接対面する。但し、ガラス積層体１１における厚さ方向の接着層１２側で、隣り合うガラス片１５の間に接着剤が侵入したとしても、帯状反射面の幅が確保されていれば光制御パネル１０は適切に機能する。この場合、例えば、ガラス積層体１１の厚さの半分以上の範囲に微小隙間が形成されるように、接着層１２側の途中で、接着剤の侵入が止まっていることが望ましい。
【００４５】
続いて、光学結像装置２０の製造方法について説明する。この製造方法は、２枚の光制御パネル１０ａ，１０ｂを貼り合わせる貼合工程を備えている。
【００４６】
貼合工程では、図４（ｃ）に示すように、互いのガラス片１５ａ，１５ｂの長手方向が略直交するように、２枚の光制御パネル１０ａ，１０ｂのガラス積層体１１側を向い合わせる。この状態の時又は直前に、少なくとも一方の光制御パネル１０ａ，１０ｂのガラス積層体１１ａ，１１ｂの主面の略全面に、透明な接着剤が塗布される。そして、この状態から、各光制御パネル１０ａ，１０ｂの向きを変えずに、２枚の光制御パネル１０ａ，１０ｂを重ね合わせる。接着剤が硬化することで接着層１６が形成され、２枚の光制御パネル１０が貼り合わされる。これにより、図１に示す光学結像装置２０が完成する。なお、図４（ｃ）では接着層１２ａ，１２ｂの記載は省略している。
【００４７】
［４．実施の形態の効果等］
本実施の形態では、従来とは異なり、積層工程において、多数のガラス片１５を直接重ね合わせている。積層工程において、隣り合うガラス片１５の間に接着剤を設けない。その代わりに、ガラス積層体１１の主面に順次積層された接着層１２及びカバープレート１３により、多数のガラス片１５を一体化している。従って、ガラス積層体１１の主面に接着剤を用いるものの、従来は多量の接着剤を用いていた隣り合うガラス片１５の間で接着剤を減らすことができるため、光制御パネル１０の製造コストを低下させることができる。
【００４８】
また、本実施の形態では、ガラス片１５としては、両面に金属反射膜（ミラー）を有しない透明なガラス片を用いている。そのため、従来に使用されていた多数の金属反射層（ミラーシートや金属蒸着膜）を使用しないため、光制御パネル１０の製造コストをさらに低下させることができる。
【００４９】
また、本実施の形態では、従来のように複数の光制御パネルが切り出されるブロック体を作製せずに、多数のガラス片１５から、１枚の光制御パネル１０に用いるガラス積層体１１を作製している。ガラス積層体１１は、ブロック体に比べて軽い。そのため、従来はブロック体の重量の制約から光制御パネルを大型化することが困難であったが、本発明では重量の制約が緩和されるため、光制御パネル１０を大型化することができる。
【００５０】
また、本実施の形態では、上述したように各ガラス片１５の側面の研磨を省略することができるため、光制御パネル１０の製造コストをさらに低下させることができる。
【００５１】
［５．変形例について］
上述の実施の形態では、平面視において光学結像装置２０は矩形であるが、国際公開第２０１３／１４５９８３号に記載された光学結像装置と同様に台形であってもよいし、他の多角形であってもよい。
【００５２】
また、上述の実施の形態では、ガラス片１５として、両面に金属反射膜を有しない透明なガラス片を用いたが、片面に金属反射膜を有するガラス片を用いてもよい。この場合、切断工程の前に、透明板ガラス３０の片面に金属蒸着などにより金属反射膜を形成し、切断工程で、金属反射膜が形成された透明板ガラス３０が複数のガラス片１５に分断される。そして、積層工程では、金属反射膜が同じ側を向くように多数のガラス片１５が直接重ね合わされる。なお、両面に金属反射膜を有するガラス片１５を用いてもよい。
【００５３】
また、上述の実施の形態では、各ガラス片１５の側面に対し研磨を行わなかったが、各ガラス片１５の長辺側の側面に対して研磨を行ってもよい。この場合、接着層１２及びカバープレート１３を設けずに、別の手段によって多数のガラス片１５を一体化してもよい。例えば、接合相手の光制御パネル１０ｂ及び接着層１６が、光制御パネル１０ａの多数のガラス片１５ａを一体化する固定部であってもよい。また、ガラス積層体１１の側面のうち多数のガラス片１５が並ぶ側面に、接着剤によってプレートを貼り合わせて、多数のガラス片１５を一体化してもよい。
【００５４】
また、上述の実施の形態において、国際公開第２０１４／０２４６７７号に記載の光学結像装置のように、光制御パネル１０の厚さ方向に平行な面に対して帯状反射面が傾斜していてもよい。この場合、断面視が平行四辺形のガラス片１５が、重ね合わされる。
【００５５】
また、上述の実施の形態において、特許第５６４６１１０号に記載の光学結像装置のように、各光制御パネル１０が、互いに重ね合わされた複数のガラス積層体１１を備えていてもよい。複数のガラス積層体１１では、ガラス片１５が並ぶ方向に、帯状反射面の位置が互いにずれている。
【００５６】
また、上述の実施の形態では、切断工程後に積層工程を行ったが、積層工程後に切断工程を行ってもよい。具体的に、変形例に係る光制御パネル１０の製造方法では、積層工程を行い、多数の透明板ガラス３０を直接重ね合わせた直方体状の積層体３１（図５参照）を作製する。次に、接着工程を行い、積層体３１の主面上に接着剤を塗布した後にカバープレート１３を重ね、接着剤を硬化させて接着層１２を形成し、多数の透明板ガラス３０の側面をカバープレート３０に接着する。次に、多数の透明板ガラス３０を拘束した状態で切断工程を行う。切断工程では、図５に示す切断位置で、多数の透明板ガラス３０を積層方向に切断する。これにより、光制御パネル１０が作製される。さらに、残りの積層体３１に対し、接着工程と切断工程を交互に行うことで、複数の光制御パネル１０が作製される。なお、切断工程を行った後に接着工程を行ってもよい。本発明に係る光制御パネルは、この段落に記載した製造方法で製造した光制御パネル１０を含む。
【産業上の利用可能性】
【００５７】
本発明は、空中に映像を結像させる光学結像装置に用いる光制御パネルの製造方法等に適用可能である。
【符号の説明】
【００５８】
１０  光制御パネル
１１  ガラス積層体
１２  接着層
１３  カバープレート
１５  ガラス片
２０  光学結像装置
２５  空中映像形成システム
３０  透明板ガラス
４０  カッター
【図１】
2017053922.tif 000003
【図２】
2017053922.tif 000004
【図３】
2017053922.tif 000005
【図４】
2017053922.tif 000006
【図５】
2017053922.tif 000007